(57)【要約】【課題】冠婚葬祭のイベント時、盛会にするためにタイミング良く蕾から開花させる。また、静的な観賞物から、花の開閉動作を可能にすることにより癒しの観賞物とする。【解決手段】花弁の中心線に沿って、第１の形状記憶合金線を用いた部材を芯金とし、その両側に第２の形状記憶合金線を配置する。第１の形状記憶合金線は花冠のがくを固定点とする湾曲した形状を記憶させて形作り、第２の形状記憶合金線は花弁が平面になるよう記憶させて形作る。電源、スイッチから構成される通電回路と、花弁及び茎の内部を経る導線とを接続し、形状記憶合金線に通電することにより、通電熱で、第１、第２の形状記憶合金線がその形状を復帰し、花弁を第２の形状記憶合金線で平面とし、第１の形状記憶合金線でその平面化した花弁をがくを中心とし、めしべから花弁先端が花弁の他の部より最も離れるよう形成する。【選択図】　　　　図１
2004144009.tif 000002
【特許請求の範囲】
【請求項１】
複数の花弁により，花冠を形成するアートフラワーにおいて、花弁の中心線に沿って、第１の形状記憶合金線を用いた部材を芯金として形成すると共に、第２の形状記憶合金線を第１の形状記憶合金線に対し、その両側に配置する。第１の形状記憶合金線は花冠のがくを固定点とする湾曲した形状を記憶させて形作り、第２の形状記憶合金線は花弁が平面になるよう記憶させて形作る。前記形状記憶合金線に通電する電源と、該通電をオンオフするスイッチ機構と、花弁及び茎の内部を経て前記スイッチ機構及び電源に接続された導線から構成され、形状記憶合金線に通電することにより、自己通電熱で、第１、第２の形状記憶合金線がその形状を復帰し、花弁を第２の形状記憶合金線で平面とし、第１の形状記憶合金線でその平面化した花弁をがくを中心とし、めしべから花弁先端が花弁の他の部より最も離れるよう形成することを特徴としたアートフラワー。
【請求項２】
前記花冠の蕾形状として、第１、第２の形状記憶合金線に対し、スプリング鋼線で花弁がめしべを囲む様にそれぞれ湾曲した形状で形成し第１、第２の形状記憶合金線と対にし、尚且つ、鋼線の曲げ剛性を形状記憶合金線の変態点温度変化による曲げ剛性の変化する値の中間の値とする請求項１記載のアートフラワー。
【請求項３】
前記花冠の蕾形状として、第１、第２の形状記憶合金線に対し、第３、第４の形状記憶合金線を花弁がめしべを囲む様にそれぞれ湾曲した形状に記憶処理した線を対にする請求項１記載のアートフラワー。
【発明の詳細な説明】
【０００１】
【発明の属する技術分野】
本発明は、アートフラワーもしくは造花（以下総称としてアートフラワーと呼称）の花弁の芯金に、形状記憶合金線を使い、形状記憶合金線へ通電し、この通電のオン、オフで形状記憶合金線の形状を変えることにより、花冠の形態をかえるアートフラワーに関するものである。
【０００２】
【従来の技術】
従来のアートフラワーは、花弁、葉等の芯金に針金等を採用したもので、花弁の開閉動作を行っていない。又、形状記憶合金を採用したアートフラワーも多くは、花弁のがくを中心とする開閉運動をさせるだけで、花弁一枚一枚の開く動作に主眼点おいたものはない。また、通電回路をもって形状記憶合金そのものに通電加熱し、花弁の開閉運動をさせるものはない（例えば、特許文献１参照。）。
【０００３】
【特許文献１】
特開平９−２２８１２６号公報（第１−２１図）
【０００４】
【発明が解決しようとする課題】
従来のアートフラワーでは、これを例えばイベント時（冠婚葬祭等含む）に用いる場合、より盛会にするためにタイミング良くアートフラワーを蕾から開花させることできず、出席者一同に、より深い感動を与えることが出来ない。また、静的に観賞してきたアートフラワーを、花の開閉動作が出来ないことにより癒しの観賞物とすることが出来ない。
【０００５】
本発明は、上述した点に鑑みて創案されたもので、その目的とするところは、形状記憶合金の温度による形状変化の特性を利用し、記憶形状が花弁等の開いた状態、もしくは蕾状態をバネ線と形状記憶合金線とで形成し、且つ形状記憶合金を変態点温度の制御を、形状記憶合金そのものに通電加熱して行うことを特徴とするものである。
このようなアートフラワーに対し、花弁の開閉機構をもち、尚且つ、開閉のタイミングが外部トリガーにより簡便に可能であり、さらに小型軽量なものを提供するものである。
【０００６】
【課題を解決するための手段】
つまり、その目的を達成するための手段は、請求項１において、花弁一枚毎に、第１の形状記憶合金線を用いた部材を花弁の芯金として形成すると共に、その形状記憶合金線は、花のがく部を固定点とし、花弁先端がめしべから離れるような曲線にて記憶処理させておき、第２の形状記憶合金線を前記芯金の左右に配置し、その記憶処理は直線とする。複数の花弁で形成される花冠が蕾の時は、花弁は中のめしべ、おしべを中心にそれらを取り囲む形を形成し、形状記憶合金線に通電することにより、形状記憶合金線線材がジュール熱による温度上昇で、開花の状態として、第２の形状記憶合金線が変態点温度を越え、花弁一枚一枚が平面状になりそれとともに、第１の形状記憶合金線も同様にがくを固定点とした弓なり状に変形する。花としては、前記の形状記憶合金線に通電する電源と、該通電をオンオフするスイッチ機構と、前記形状記憶合金線に接続され茎の内部を経て前記スイッチ機構及び電源に接続された導線から構成され、スイッチ機構により、花弁の開閉を記憶している形状記憶合金線に通電、または非通電とすることにより花を咲かせたり萎んだりすることを特徴としたアートフラワーである。
【０００７】
請求項２において、
前記花弁の蕾形を形成する手段として、スプリング鋼線を前記形状記憶合金線の対として構成し、第１、第２の形状記憶合金線に対し、めしべを包む形で成形する。尚、スプリング鋼線の曲げ剛性は、形状記憶合金線の変態点変化による曲げ剛性変化値の中間の値とする請求項１記載のアートフラワーである。
【０００８】
請求項３において、
さらに花弁の蕾形を形成する手段として、第３、第４の形状記憶合金線を採用し、前記第１、第２の形状記憶合金線の対として構成し、第１、第２の形状記憶合金線に対し、めしべを包む形で記憶成形し、閉時には、それらを通電する請求項１記載のアートフラワーである。
【０００９】
尚、このアートフラワーは花弁単位の電気制御が可能で、例えば、
前記花弁の構成として内弁と外弁を有し、開動作させる場合には外弁の動作を内弁より先に働かせ、閉動作させる場合には内弁の動作を外弁より先に働かせる通電順序とするスイッチ回路を備える事が出来る。
【００１０】
又、電源として、　前記茎に電池を含む電源回路、及びスイッチ機構を備えて一体化するか、又は電池を含む電源回路、及びスイッチ機構を鉢の部分に内蔵する事も出来る。
【００１１】
さらに、太陽電池を花弁、葉、鉢等に設置し、該太陽電池を電源の一部又は全電源とすることも可能である。
【００１２】
又、スイッチ機構のオン、オフを、周囲の音の周波数、旋律、リズムに合わせるか、又は周囲の光の点滅に合わせるかして花弁の開閉を行うことも可能である。
【００１３】
すなわち、アートフラワーの多くは、針金を花弁の芯金に使い、花弁を適当な角度に折り曲げ、花冠の開花度を決め、蕾の状態は蕾で作成し、さらに種々の花や葉、背丈，配列を決め、全体として静的な状態を形成している。また、蕾の作成と開花状態の作成は別な工程で作るのが普通である。
【００１４】
本発明では、イベント時により印象を深める為に、アートフラワーを蕾から開花または開花状態から蕾状態へと変化させるものである。その為に、従来アートフラワーの花弁の芯金を針金でなく、形状記憶合金線を花弁の芯金とし、尚且つ、形状記憶合金線の形状記憶復帰には、自己通電による温度上昇によるものとするのである。それ故、花弁の材料や形状記憶合金線を花弁に取り付ける方法は従来のアートフラワーの製作時となんら変わるものではない。
開状態の形状記憶合金線の形状、即ち、未記憶の形状記憶合金線を４００〜５００℃で１時間程度の焼入処理時の形態は、第１の形状記憶合金線は、円弧等の曲線（対象の花に合わせ、その花弁の開いた時の花弁中心線に近似する）とし、第２の形状記憶合金線はｖ字、Ｘ字、Ｕ字、又は直線（一枚の花弁全体が平面化するような形状でＸ字の場合は２本使う）とする。また形状記憶合金線の形状記憶復帰には、自己通電による温度上昇によるもので、形状記憶合金線の両端には導線を接続しておくのは自明である。尚、第１、第２の形状記憶合金線は花弁内でパラレルもしくはシリーズ接続し、同時に通電、非通電する。
【００１５】
アートフラワーの蕾状態の形状作成は２つ方法があり、その一つは、スプリング鋼線を採用する方式である。形状記憶合金線の変態点温度の剛性変化値は通常１対３程度の値で変化する。これを考慮し、スプリング鋼線の曲げ剛性を形状記憶合金線の中間値とすることで、花弁は通電時形状記憶合金線の温度上昇により形状記憶合金線の形状になり、非通電時にはスプリング鋼線の形状になる。
蕾の形状は、花弁がめしべを包む形に成形する。従来のアートフラワー作成時の針金代わりに、スプリング鋼線を採用するのと同様である。これらの線材は、花弁に内蔵され、また形状記憶合金線への電気導線はアートフラワーの茎内部に通し、茎材で被覆することで見栄えは，これまでのアートフラワーと変化なく作れる。
【００１６】
他の一つは、蕾用の形状記憶合金線を採用する方式である。この場合、開及び蕾用の形状記憶合金線と電源との接続を切りかえる必要がある。
蕾の形状は、花弁がめしべを包む形に成形する。第３の形状記憶合金線は花弁の中心線に沿い、第４形状記憶合金線は前記形状記憶合金線に対し交叉する位置となる。これらの形状記憶合金線の記憶は、開状態作成と同じである。前記同様形状記憶合金線は、花弁に内蔵され、また形状記憶合金線への電気導線はアートフラワーの茎内部に通し、茎材で被覆することで見栄えは，これまでのアートフラワーと変化なく作れる。この場合も第３、第４の形状記憶合金線は花弁内でパラレルもしくはシリーズ結線される。
【００１７】
アートフラワーの花弁が複数で、例えば６弁のものの場合、花弁単位で形状記憶合金線を結線したものを、茎の処でシリーズ結線、もしくはパラレル結線し、茎内部の導線に結線することが出来る。
さらに、花弁の内弁と外弁とで開閉動作の時間を変える場合には、内弁グループ単位での結線と外弁グループ単位での結線の２グループの導線を茎に通し、開動作のときは、外弁グループから通電を始める。閉動作の場合には内弁グループから非通電（さらに、蕾用の形状記憶合金線に通電）を始めることが本発明の通電による温度上昇での形状記憶合金を採用した場合のアートフラワーの特徴の一つである。
【００１８】
本アートフラワーに採用する電源は、通電加熱を基本とするため、ＡＣ、ＤＣの
区別は問わない。　例えば、一つのアートフラワーで、花弁をスプリング鋼線と形状記憶合金線とで形成し、また茎内部にスイッチ及び電池を内蔵し、花弁とスイッチを経て電池と結線すると可搬形のアートフラワーが出来る。
スイッチをオンしている間、電池と花弁の形状記憶合金線とが通電状態にあり、形状記憶合金線がジュール熱で上昇し、形状回復をする。その後スイッチをオフすると、形状記憶合金線が自然放熱し温度が下がり、バネ線の復帰力で元の形に戻る。尚、蕾用形状記憶合金線の採用時には、電源切替が必要で開もしくは蕾状になるまでの時間だけ通電する回路を作成しておく。
【００１９】
さらに、アートフラワーに鉢もしくは籠等と一緒に作成する場合は鉢もしくは籠にスイッチ及び電池を内蔵してもよい。　また、電池として太陽電池を使うことも可能であり、その場合、太陽電池を花弁、葉、鉢などの光の当る場所に組込むことも可能である。　スイッチのオン、オフのタイミングは手動でなく、周囲の音の特定周波数、旋律、リズムに合わせることも可能で、例えばイベント時に採用した音楽によりアートフラワーの開閉がおこなうことが出来る。さらに、周囲の光の点滅でスイッチのオン、オフ動作によるアートフワラーの開閉もできる。　またスプリング鋼線採用の蕾の場合では、温度による色が変化する塗料を、花弁に塗布することにより、アートフラワーが通電過熱した場合に塗布材が色変化することにより、花弁の色変化も可能で、非通電で温度が戻るに伴い花弁の色も元に戻る。
【００２０】
【発明の実施の形態】
本発明に係る形状記憶合金線において、Ｔｉ−Ｎｉ系の形状記憶合金は、強度、耐久性の面で他の形状記憶合金より優れており、実用化されている。記憶させたい形状を作成し、４００〜５００℃、１時間程度焼入れすることにより、低温時に対し、変態点温度を越えた高温時には、記憶形状に戻り、その弾性係数が概略３倍程度増加する。また、自己通電によるジュール熱を利用し通電により形態を変えられる利便性もある。
【００２１】
低温時では、弾性係数が小さいので、外力より容易にその形状が変わる。そのため、二つの形状に変化させたい場合には、高温時は形状記憶させた形を利用し、低温時にはスプリング鋼線で任意の形状を作る。もしくは、別の形状記憶合金線を使い、任意の形状を記憶させ、自己通電を切り替えることにより、２状態の形態変化を行うことが出きる。
【００２２】
アートフラワーの蕾の花弁形態のままで、花弁中心に設置した第１の形状記憶合金線の形状復帰動作では、花弁がめしべを包む山形になっており、そのままでは花弁材が弾性材でない限り、力学的に開くことがない。そこで花弁を平面化すべく第２の形状記憶合金線が必要になる。即ち、形状記憶合金線とその両側の花弁が同一平面とすることにより、その平面を平面と直角な方向へ曲げることが出きる。尚、第１と第２の形状記憶合金線への通電の順序制御は必要なく、同時に行っても平面になりながら開く動作を行う。但し、定電圧源を採用する場合の本アートフラワーでは、第２の形状記憶合金線が第１に較べ一般に短いため、第１と第２の形状記憶合金線をパラレル結線方法ですると、若干平面化が先に行われる。
【００２３】
また、スプリング鋼線で蕾形状を作成する場合、スプリング鋼線の曲げ剛性の選定と開閉動作が弾性限度内とすることと、開状態を楽しむには、ジュール熱の発生が必要であり、開の状態を保つべく形状記憶合金線への電流制御を行うことにより適正温度に保つ必要がある。
【００２４】
形状記憶合金線、スプリング鋼線、及び導線類は、花弁を形成する内側と外側の布（一般には薄絹材など）とで被せられて外観上では見えない構成とし、導線は茎の内部を通すことにより、花の外観は一般のアートフラワーと何ら変ることがなく、製作することが出きる。
【００２５】
また、アートフラワーで内弁と外弁を持つ、例えばゆりは６弁の花で、３弁づつ内側と円周上それらの中間の角度で外弁を持つ。その場合の内弁と外弁の順序動作は開の場合には外弁から開き、閉の場合には内弁から閉じる必要があるので、その様な場合には、電気的に内弁グループ回路と、外弁グループ回路とに分け、それぞれの回路への電流制御を分ける必要がある。
【００２６】
以下、本発明の一実施例を図面に基づいて詳述する。
図１は本発明の請求項１記載の１実施例を示す一花弁内の形状記憶合金線の配置図の斜視図であり、１は第１の形状記憶合金線、２は第２の形状記憶合金線である。花弁内の導線は本図では省略してある。７は花弁であり、開いた花弁状を示す。即ち，第１、第２の形状記憶合金線は，本図例の様に形状記憶されているものである。最も簡便な成形は第１が円弧、第２が直線でよい。３、４は請求項３に示す第３、第４の形状記憶合金線を示す。これらも導線は省略してある。また、図２は３、４の変りに請求項２のスプリング鋼線を使った斜視図を示す。従来アートフラワーは芯金は花弁に接着固定されいるが、形状記憶合金線１，２，３，４、スプリング鋼線５，６とも接着固定する。従来のアートフラワーの芯金が針金１本であるのに比べ、花弁中心線には２線になり、また花弁の幅方向にも２線追加された形状である。図１、図２とも、開いた花弁の斜視図であり、蕾用の形状記憶合金線、及びスプリング鋼線は通電された形状記憶合金線の復帰力に力関係で及ばず、開いた花弁となる。またこれらの線は他の線と電気的に絶縁されている。
【００２７】
図３は電気結線図を示す。蕾用には、スプリング鋼線を採用したもので、第１、第２の形状記憶合金線がシリーズ結線されたもの。図４は前述で、パラレル結線されたものである。図３、図４とも茎部で各花弁部を合流した例である．
制御方法により、各花弁単位もしくは、内弁、外弁単位で行う場合は、本例とは当然ことなる結線となる。
【００２８】
図５は花冠、茎、電源を含むものである。ここで、形状記憶合金線類とスプリング鋼線は花弁内部では絶縁され、導線類が花弁根元で、他の花弁導線と結合され、茎８の部分で２線（蕾時形状記憶合金線を採用する場合４線）となる。９はスイッチ、１０は電源回路で、交流電源を採用しても、直流電源（電池）でもよい。但し、請求項２の蕾時スプリング鋼線採用時には、形状記憶合金線の電源は電流制御回路を含むのは必要である。１１は花冠で花弁、おしべ・めしべからなる。
【００２９】
図６は蕾時の形状例である。本図では形状記憶合金線類とスプリング鋼線は示していなが、茎８の部分で２線（蕾時形状記憶合金線を採用する場合４線）となる。９はスイッチ、１０は電源回路である。蕾時の花弁の形状をア−ア矢視で示したものが、図７で、７１は内弁、７２は外弁を示す。尚、花弁の幅が長い場合の例を図８に示す。内外弁とも互いに渦状に閉じている。
【００３０】
図９は蕾時の花弁一枚の図である。３もしくは５は花弁７を幅方向に巻いた形状で、成形は製造の容易さを考えると円弧でよい。３は形状記憶合金線の場合、５はスプリング鋼線の場合である。４もしくは６は花弁の縦方向の形状で、４は形状記憶合金線、６はスプリング鋼線の場合である。本成形も円弧で可能である。本図では、開花時の形状記憶合金線１，２は省略してある。
【００３１】
図１０は開花時の花弁一枚の図である。ａは花弁７の幅方向に持ちいた形状記憶合金線１で花弁を平面化した状態を示す。ｂは花弁縦方向の形状記憶合金線２で通電により、花弁を開いた形状を示す。本図では図９と逆に蕾時の形状記憶合金線やスプリング鋼線を省略してある。
【００３２】
図１１、図１２、図１３は、花弁を平面とする第２の形状記憶合金線として、前述では直線形状で表記してきたが、直線の変りに、図１１ではＶ字、図１２ではＸ字、図１３ではＵ字形にした場合である
【００３３】
図１４は本発明による蕾時の花冠示す。花弁の材料の剛性を利用し、花弁周囲には、本発明の形状記憶合金線の動作に及ぼさない変形をさせることも可能である。図１５は開花時を示す。
【００３４】
【発明の効果】
以上説明したように本発明によれば、従来のアートフラワーの製作過程において、芯金が針金から、バネ線と形状記憶合金線に変更、また従来茎の部分にも針金を使っていたが、それに導線を付加することがアートフラワーの本体となる。また、スイッチ、電源回路は別途分離製作が可能で有り、またスイッチのオンオフで花の開閉が簡便に楽しめる。更に、ハンディに開閉するアートフラワーも可能である。
この効果は、例えば、来客時ベルと共にスイッチを連動させ、花を開花させる。また、アートフラワーは結婚式の披露宴等で従来かざりに用いられていたが、司会者の話のタイミングに合わせて花を蕾から開花させることが出来る。
また、新婦が手にするブーケに組込み、来席者のテーブル回りの時に、ハンディな本発明を使う等の効果のある演出が期待できる。
その他、部屋の芳香剤には花の香りが採用されて、必要時手動で散布するのが主であるが、その場合本発明のアートフラワーを使い、散布時に花を開かせる。生花は開花を楽しめるが、やがてしぼむ。しかし、本発明は何遍でも、自分の作成したアートフラワーが生花に劣らず蕾から開花を楽しむことが可能となる。
【図面の簡単な説明】
【図１】本発明の１実施例を示す花弁内の形状記憶合金線の配置例。
【図２】本発明の１実施例を示す花弁内の形状記憶合金線とスプリング鋼線の配置例。
【図３】電気結線図例
【図４】電気結線図例
【図５】本発明の花冠（開いた花）、茎、電源を含む図例
【図６】本発明の蕾時の図例
【図７】図６のア−ア矢視で蕾時の花弁配置図例
【図８】図６のア−ア矢視で蕾時の花弁配置図例
【図９】蕾時の花弁一枚の形状記憶合金線もしくはスプリング鋼線の成形例
【図１０】開花時の花弁一枚の形状記憶合金線の成形例
【図１１】花弁を平面化する形状記憶合金線のＶ字成形例
【図１２】花弁を平面化する形状記憶合金線のＸ字成形例
【図１３】花弁を平面化する形状記憶合金線のＵ字成形例
【図１４】蕾時の花冠図例
【図１５】開花時の花冠図例
【符号の説明】
１　　　花弁を平面化する形状記憶合金線
２　　　花弁を開いた形状にする形状記憶合金線
３　　　花弁を蕾状にする幅方向形状記憶合金線
４　　　花弁を蕾状にする縦方向形状記憶合金線
５　　　花弁を蕾状にする幅方向スプリング鋼線
６　　　花弁を蕾状にする縦方向シプリング鋼線
７　　　花弁
８　　　茎
９　　　スイッチ回路
１０　　　電源回路
１１　　　花冠
７１　　　花弁（内弁）
７２　　　花弁（外弁）
【図１】
2004144009.tif 000003
【図２】
2004144009.tif 000004
【図３】
2004144009.tif 000005
【図４】
2004144009.tif 000006
【図５】
2004144009.tif 000007
【図６】
2004144009.tif 000008
【図７】
2004144009.tif 000009
【図８】
2004144009.tif 000010
【図９】
2004144009.tif 000011
【図１０】
2004144009.tif 000012
【図１１】
2004144009.tif 000013
【図１２】
2004144009.tif 000014
【図１３】
2004144009.tif 000015
【図１４】
2004144009.tif 000016
【図１５】
2004144009.tif 000017